(57)【要約】【課題】シールを用いた携帯電子機器装飾具であって、再剥離再接着によって交換可能であり、かつ、同じ装飾具の再利用が容易なものを提供すること。合わせて、立体的形状による装飾効果のあるものを提供可能とすること。【解決手段】片面が再剥離再接着可能な接着剤の塗布された接着面２１であり、他面が粘着材の塗布された粘着面２２であるシールと、粘着面２２に粘着された装飾物３とからなり、粘着面２２は接着面２１よりも吸着力が強く、装飾物３はシールから５ｍｍ以上突出しているような携帯電子機器装飾具１を提供する。【選択図】図１
0003185110.tif 000002
【実用新案登録請求の範囲】
【請求項１】
片面に再剥離再接着可能な接着剤の塗布された接着面であり、他面が粘着材の塗布された粘着面であるシールと、
前記粘着面に粘着された装飾物とからなり、
前記粘着面は前記接着面よりも吸着力が強く、
前記装飾物は前記シールから５ｍｍ以上突出した立体的形状を有することを特徴とする、携帯電子機器装飾具。
【請求項２】
前記装飾物は、その周辺部分において、指を掛けたことでは折れ曲がらない程度の強度を有することを特徴とする、請求項１に記載の携帯電子機器装飾具。
【請求項３】
前記装飾物は、その全体が剛体であることを特徴とする、請求項２に記載の携帯電子機器装飾具。
【請求項４】
前記携帯電子機器が携帯電話機であることを特徴とする、請求項１〜３のいずれか１項に記載の携帯電子機器装飾具。
【請求項５】
前記接着面の全面が接着される保持用具に前記接着面が接着されたものであることを特徴とする、請求項１〜４のいずれか１項に記載の携帯電子機器装飾具。
【考案の詳細な説明】
【技術分野】
【０００１】
本考案は、携帯電子機器装飾具に関するものである。より詳しくは、再剥離再貼付可能な携帯電子機器用装飾具を好みに合わせて随時にこれを貼り替えて変更することが可能なものであって、生産者が設計しデザインした様々な立体的形状を有する装飾性の高い携帯電子機器用装飾具に関するものである。
【背景技術】
【０００２】
携帯電話機（スマートフォンを含む）、携帯ゲーム機、携帯音楽再生機、小型のタブレットコンピュータ、その他の携帯電子機器は、生産者が設計したデザインのものである。そこで、日々持ち歩く携帯電子機器に個性を持たせたい所有者は、シール等で装飾を施している。特に携帯電話機については、多くの使用者が、シールや保護目的を兼ねたケースによって装飾を施している。
昨今、スマートフォンを始め、携帯電子機器の普及は目覚ましく、多品種が世の中に生産されているが、使用者は、付帯する携帯電子機器のサイズに適した寸法でありかつ好みに合わせたケースやシール等を模索することが難しい傾向になっている。
特に携帯電子機器への装飾としては、嗜好が替わって変更したい場合、ＴＰＯによって使い分けたい場合など、固定せずに何種ものものを使用したい場合がある。よって、装飾する場合には、再剥離再接着可能な接着剤の塗布されたシール加工されたものが好ましい。
【０００３】
再剥離再接着可能な接着剤の塗布されたシールによる装飾としては、特許文献１に、再剥離再接着可能なシールと装飾用シートとを組み合わせるものが開示されている。
しかし、特許文献１に記載のものは、装飾用「シート」を用いるものであるが故に、以下の点に問題があった。
シールの剥離に当たってはシールの端に爪先を挿入する等の操作をする。シートは薄いものであるので、剥離に当たって装飾用シートの端が折れ曲がってしまう等のことが想定される。すなわち、「再剥離再接着」であるならば、装飾部分は折れ曲がりの少ないものがよく、特許文献１に記載のものは適さない。
剥離したシールの保存について、何も開示されていない。携帯電話機以外のものに接着しておけば保存可能ではある。しかし、その保存状態から剥離するときに上記の問題があり、また、保存時の装飾性、利用性についてもプラスされるとよりよいと思われるが、特許文献１では考慮されていない。
【先行技術文献】
【特許文献】
【０００４】
【特許文献１】実用新案登録第３１３７３７４号公報
【考案の概要】
【考案が解決しようとする課題】
【０００５】
解決しようとする課題は、シールを用いた携帯電子機器装飾具であって、再剥離再接着によって交換可能であり、かつ、同じ携帯電子機器での繰り返し再利用や他の携帯電子機器への装飾具の再利用が容易なものを提供することである。合わせて、立体的形状による３Ｄの装飾効果のあるものを提供可能とすることである。
さらに、携帯電子機器に使用しない場合は、デスク周りやタイル等の平滑面に対して貼りつけが可能であり、保存性を兼ね備えながら、利用性を拡大し、より装飾性を発揮できるものを提供可能とすることである。
【課題を解決するための手段】
【０００６】
本考案の携帯電子機器装飾具は、
片面に再剥離再接着可能な接着剤等の塗布された接着面であり、他面が粘着材の塗布された粘着面であるシールと、
前記粘着面に粘着された装飾物とからなり、
前記粘着面は前記接着面よりも吸着力が強く、
前記装飾物は前記シールから５ｍｍ以上突出した立体的形状を有することを特徴とする。
【０００７】
携帯電話機（スマートフォンを含む）、携帯ゲーム機、携帯音楽再生機、小型のタブレットコンピュータ、その他の携帯電子機器を装飾する携帯電子機器装飾具である。
突出した装飾物を把持して再剥離することができる。また、剥離のためにシールの端に爪先等を挿入してもシールの端は装飾物で保護される。
ここで「立体的形状」とは、シールから５ｍｍ以上突出した任意の形状であってよい。ただし、携帯電子機器装飾具を剥離する際に指を掛けやすい形状であるものが好ましい。
無機質な印象のある携帯電子機器の平面を、立体的に装飾することができる。そして、立体的形状としてデザインの幅が広がるので、生産者の好みのデザインを付与することができ、表現しやすいデザインをそのままに、リアルでかつ親しみやすい装飾具を提供することができる。
【０００８】
本考案の携帯電子機器装飾具は、
前記装飾物は、その周辺部分において、指を掛けたことでは折れ曲がらない程度の強度を有することを特徴とする。
【０００９】
剥離のためにシールの端に爪先等を挿入した際に、装飾物で保護されたシールの端が折れ曲がらない。
【００１０】
本考案の携帯電子機器装飾具は、
前記装飾物は、その全体が剛体であることを特徴とする。
【００１１】
剛体としての強度を持ち、上述のように装飾性の高い立体的形状であることで、以下の効果が得られる。
（１）装飾物を把持して再剥離することが容易になる。
（２）１つの携帯電子機器で使用しないときに、他の携帯電子機器に容易に保持することができ、更に、凹凸のない滑らかな面である机や家具（木、スチール製）、携帯ケース、ステンレスや冷蔵庫や洗濯機などの金属塗装面、タイル、ガラス、プラスチック等の接着が可能な（例えば真空吸着による接着であれば真空を保てる）場所であれば、貼付けが可能であり、装飾しながら、保持することができる。
ここで「剛体」とは指を掛ける、他の物体と接触する、その他の日常的な使用においては変形しない程度の強度を持った物質であることを言う。
【００１２】
本考案の携帯電子機器装飾具は、
前記携帯電子機器が携帯電話機であることを特徴とする。
【００１３】
携帯電話機（スマートフォンを含む）は、広く使われており、また、装飾具を用いる使用者が多い。
【００１４】
本考案の携帯電子機器装飾具は、
前記接着面の全面が接着される保持用具に前記接着面が接着されたものであることを特徴とする。
【００１５】
使用していないときに、装飾具を容易に保持することができる。
なお、デスク周りやタイル等の平滑面を実質上の「保持用具」として活用できる。保持されている時にも装飾効果を発揮する。
【考案の効果】
【００１６】
シールを用いた携帯電子機器装飾具であって、再剥離再接着によって交換可能であり、かつ、同じ携帯電子機器での繰り返し再利用や他の携帯電子機器への装飾具の再利用が容易なものが提供可能となる。合わせて、立体的形状による３Ｄの装飾効果のあるものが提供可能となる。
さらに、携帯電子機器に使用しない場合は、デスク周りやタイル等の平滑面に対して貼りつけが可能であり、保存性を兼ね備えながら、利用性を拡大し、より装飾性を発揮できるものが提供可能となる。
【図面の簡単な説明】
【００１７】
【図１】図１は、携帯電子機器装飾具を示す図である。
【図２】図２は、携帯電子機器装飾具の使用状態を示す図である。
【図３】図３は、携帯電子機器装飾具及び保持用具を示す図である。
【図４】図４は、保持と交換を説明する図である。
【考案を実施するための形態】
【００１８】
以下、本考案の実施例を示す。
【実施例１】
【００１９】
図１は、携帯電子機器装飾具を示す図である。なお、図は理解を容易にするため薄い部材に実際よりも大きな厚みを持たせて描いてある。
携帯電子機器装飾具１は、シール２及び装飾物３からなる。シール２は片面が接着面２１であり、他面が粘着面２２である。装飾物３は、粘着面２２に粘着されている。
装飾物３は、それ自体の形状・模様・色彩によって装飾をするものであってもよく、下部（粘着面側）に写真等の平面的装飾体を有して上部が透明であってもよい。
装飾物３の突出（図においてｈで示す）は、７ｍｍである。立体感を持たせるために、５ｍｍ以上であることが好ましい。
【００２０】
携帯電子機器装飾具を剥離する際には、装飾物３の隅を持って剥がすため、薄手の装飾用シールとは相違し、再剥離再貼付可能な利用性を持たせた接着面のシールに指を触れることは無い。
また、粘着面２２は接着面２１よりも吸着力が強いので、上記のように装飾物３を把持して剥がすことができる。この把持を容易にするため、装飾物３に指を掛けやすい立体的形状と変形しない程度の強度を持たせる。例えば、装飾物３をプラスチック性とする。
【００２１】
図２は、携帯電子機器装飾具の使用状態を示す図である。携帯電話機４の裏面（操作用のタッチパネルのない面）に携帯電子機器装飾具１を接着する。装飾物３が突出して、斬新なデザインとなる。
【実施例２】
【００２２】
図３は、携帯電子機器装飾具及び保持用具を示す図である。保持用具５が接着面２１に接着される。保持用具５は、プラスチック板である。なお、保護シールであってもよい。また、デスク周りやタイル等の平滑面を保持用具として活用してもよい。
【００２３】
図４は、保持と交換を説明する図である。１つの携帯電子機器装飾具１を携帯電話機４に接着して使用している間、他の携帯電子機器装飾具１を保持用具５に接着して保持することができる。
嗜好が変わって変更したい場合、ＴＰＯによって使い分けたい場合などに、携帯電子機器装飾具１を入れ替えて使用することができる。
また、デスク周りやタイル等の平滑面を保持用具として活用する場合には、携帯電子機器装飾具が保持されている間には、デスク周り等を装飾する。
【産業上の利用可能性】
【００２４】
シールを用いた携帯電子機器装飾具であって、再剥離再接着によって交換可能であり、かつ、同じ携帯電子機器での繰り返し再利用や他の携帯電子機器への装飾具の再利用が容易なものである。合わせて、立体的形状による３Ｄの装飾効果のあるものである。多くの個人による利用が期待される。
【符号の説明】
【００２５】
１    携帯電子機器装飾具
２    シール
２１  接着面
２２  粘着面
３    装飾物
４    携帯電話機
５    保持用具 
【図１】
0003185110.tif 000003
【図２】
0003185110.tif 000004
【図３】
0003185110.tif 000005
【図４】
0003185110.tif 000006